【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
ユーザーにある機能と対話するよう音声で指示するための方法であって：ある機能をユーザー書き込みの選択可能項目と関連付け；前記ユーザー書き込みの選択可能項目をある面上で認識し；前記ユーザー書き込みの選択可能項目の前記認識に反応して、前記ユーザーからのさらなる対話を必要とすることなく前記機能の動作に関係する第一の指示メッセージを音声で表現することを含み；前記第一の指示メッセージの前記音声による表現がペンコンピュータの音声出力装置によって実行されることを特徴とする方法。
【請求項２】
前記第一の指示メッセージが、前記ユーザーに、該ユーザーが前記機能とインターフェースをもちうるようにする少なくとも一つのユーザーインターフェース要素を描くよう指示することを特徴とする、請求項１記載の方法。
【請求項３】
請求項２記載の方法であって：
前記第一の指示メッセージの前記音声による表現から所定の時間期間内に前記面上に書き込みが描かれたかどうかを判定し；前記所定の時間期間内に前記面上にいかなる書き込みも描かれていなかった場合に、前記第一の指示メッセージを繰り返す、
段階をさらに有することを特徴とする方法。
【請求項４】
請求項２記載の方法であって：前記ユーザーインターフェース要素が前記面上に適正に描かれたかどうかを判定し；前記ユーザーインターフェース要素が前記面上に適正に描かれていなかった場合に、前記ユーザーが前記ユーザーインターフェース要素を適正に描く仕方についてのヒントを有する第二の指示メッセージを音声で表現することをさらに有することを特徴とする、方法。
【請求項５】
前記ユーザーインターフェース要素が適正に描かれていた場合に、第三の指示メッセージを音声で表現することをさらに含むことを特徴とする、請求項４記載の方法。
【請求項６】
前記ユーザーインターフェース要素が適正に描かれていた場合に、前記機能を実行することをさらに含むことを特徴とする、請求項４記載の方法。
【請求項７】
前記ユーザー書き込みの選択可能項目とのユーザーの対話に反応して、前記第一の指示メッセージを反復することをさらに含むことを特徴とする、請求項１記載の方法。
【請求項８】
前記第一の指示メッセージを音声で表現するのに先立って前記機能を実行することをさらに含むことを特徴とする、請求項１記載の方法。
【請求項９】
前記ユーザー書き込みの選択可能項目の前記認識が、前記ユーザー書き込みの選択可能項目が完成していることを示す終了イベントを検出することに反応して実行されることを特徴とする、請求項１記載の方法。
【請求項１０】
請求項１記載の方法であって、前記ユーザー書き込みの選択可能項目の前記認識が：ペンコンピュータの先端の位置を光学的に記録し；該位置の画像認識を実行して前記のユーザー書き込みの選択可能項目を認識することを含んでいることを特徴とする方法。
【請求項１１】
ある機能をユーザー書き込みの選択可能項目と関連付け；前記ユーザー書き込みの選択可能項目をある面上で認識し；前記ユーザー書き込みの選択可能項目の前記認識に反応して、ユーザーと前記面との間のさらなる対話をまず必要とすることなく前記機能をすぐに実行することを含むことを特徴とする、自動的にある機能を実行する方法。
【請求項１２】
請求項１１記載の方法であって、前記機能の動作に関係した指示メッセージを、前記ユーザーと前記面との間のさらなる対話をまず必要とすることなく音声で表現することをさらに含む方法。
【請求項１３】
請求項１２記載の方法であって、前記指示メッセージの前記音声による表現が、ユーザーが前記面と対話しないまま所定の時間期間が経過するのに反応して実行されることを特徴とする、方法。
【請求項１４】
ユーザーが前記のユーザー書き込みの選択可能項目と対話するのに反応して、前記機能を再実行することをさらに含むことを特徴とする、請求項１１記載の方法。
【請求項１５】
前記ユーザー書き込みの選択可能項目の前記認識が、前記のユーザー書き込みの選択可能項目が完成していることを示す終了イベントを検出することに反応して実行されることを特徴とする、請求項１１記載の方法。
【請求項１６】
前記したユーザーと前記面との間のさらなる対話をまず必要とすることなく前記機能をすぐに実行することが、前記ユーザーによる前記面上の補助的な書き込みをまず必要とすることなく前記機能をすぐに実行することであることを特徴とする、請求項１１記載の方法。
【請求項１７】
コンピュータシステムをしてユーザーにある機能と対話するよう音声で指示するための方法を実行せしめるためのコンピュータ可読プログラムコードが具現されているコンピュータ使用可能媒体であって、前記方法が：ある機能をユーザー書き込みの選択可能項目と関連付け；前記ユーザー書き込みの選択可能項目をある面上で認識し；前記ユーザー書き込みの選択可能項目の前記認識に反応して、前記ユーザーからのさらなる対話を必要とすることなく前記機能の動作に関係する第一の指示メッセージを音声で表現することを含み、前記第一の指示メッセージの前記音声による表現がペンコンピュータの音声出力装置によって実行されることを特徴とするコンピュータ使用可能媒体。
【請求項１８】
前記第一の指示メッセージが、前記ユーザーに、該ユーザーが前記機能とインターフェースをもちうるようにする少なくとも一つのユーザーインターフェース要素を描くよう指示することを特徴とする、請求項１７記載のユーザー使用可能媒体。
【請求項１９】
請求項１８記載のコンピュータ使用可能媒体であって、前記方法が：前記第一の指示メッセージの前記音声による表現から所定の時間期間内に前記面上に書き込みが描かれたかどうかを判定し；前記所定の時間期間内に前記面上にいかなる書き込みも描かれていなかった場合に、前記第一の指示メッセージを繰り返す、段階をさらに有することを特徴とするコンピュータ使用可能媒体。
【請求項２０】
請求項１８記載のコンピュータ使用可能媒体であって、前記方法が：前記ユーザーインターフェース要素が前記面上に適正に描かれたかどうかを判定し；前記ユーザーインターフェース要素が前記面上に適正に描かれていなかった場合に、前記ユーザーが前記ユーザーインターフェース要素を適正に描く仕方についてのヒントを有する第二の指示メッセージを音声で表現することをさらに有することを特徴とする、コンピュータ使用可能媒体。
【請求項２１】
前記方法が、前記ユーザーインターフェース要素が適正に描かれていた場合に、第三の指示メッセージを音声で表現することをさらに含むことを特徴とする、請求項２０記載のコンピュータ使用可能媒体。
【請求項２２】
前記方法が、前記ユーザーインターフェース要素が適正に描かれていた場合に、前記機能を実行することをさらに含むことを特徴とする、請求項２０記載のコンピュータ使用可能媒体。
【請求項２３】
前記方法が、前記ユーザー書き込みの選択可能項目とのユーザーの対話に反応して、前記第一の指示メッセージを反復することをさらに含むことを特徴とする、請求項１７記載のコンピュータ使用可能媒体。
【請求項２４】
前記方法が、前記第一の指示メッセージを音声で表現するのに先立って前記機能を実行することをさらに含むことを特徴とする、請求項１７記載のコンピュータ使用可能媒体。
【請求項２５】
前記ユーザー書き込みの選択可能項目の前記認識が、前記ユーザー書き込みの選択可能項目が完成していることを示す終了イベントを検出することに反応して実行されることを特徴とする、請求項１７記載のコンピュータ使用可能媒体。
【請求項２６】
請求項１７記載のコンピュータ使用可能媒体であって、前記ユーザー書き込みの選択可能項目の前記認識が：ペンコンピュータの先端の位置を光学的に記録し；該位置の画像認識を実行して前記のユーザー書き込みの選択可能項目を認識することを含んでいることを特徴とするコンピュータ使用可能媒体。
【請求項２７】
コンピュータシステムをして自動的にある機能を実行する方法を実行せしめるためのコンピュータ可読プログラムコードが具現されているコンピュータ使用可能媒体であって、前記方法が：ある機能をユーザー書き込みの選択可能項目と関連付け；前記ユーザー書き込みの選択可能項目をある面上で認識し；前記ユーザー書き込みの選択可能項目の前記認識に反応して、ユーザーと前記面との間のさらなる対話をまず必要とすることなく前記機能をすぐに実行し；前記ユーザー書き込みの選択可能項目とのユーザー対話に反応して前記機能を実行することを含むことを特徴とする、コンピュータ使用可能媒体。
【請求項２８】
請求項２７記載のコンピュータ使用可能媒体であって、前記方法が、前記機能の動作に関係した指示メッセージを、ユーザーと前記面との間のさらなる対話をまず必要とすることなく音声で表現することをさらに含むコンピュータ使用可能媒体。
【請求項２９】
請求項２８記載のコンピュータ使用可能媒体であって、前記指示メッセージの前記音声による表現が、ユーザーが前記面と対話しないまま所定の時間期間が経過するのに反応して実行されることを特徴とする、コンピュータ使用可能媒体。
【請求項３０】
前記ユーザー書き込みの選択可能項目の前記認識が、前記のユーザー書き込みの選択可能項目が完成していることを示す終了イベントを検出することに反応して実行されることを特徴とする、請求項２７記載のコンピュータ使用可能媒体。
【請求項３１】
前記したユーザーと前記面との間のさらなる対話をまず必要とすることなく前記機能をすぐに実行することが、前記ユーザーによる前記面上の補助的な書き込みをまず必要とすることなく前記機能をすぐに実行することであることを特徴とする、請求項２７記載のコンピュータ使用可能媒体。
【請求項３２】
バスと；前記バスに結合された音声出力装置と；ユーザーが筆記可能面に書けるようにするための筆記要素と；前記筆記可能面に対する前記筆記要素の位置を検出するための、前記バスに結合された光学式検出器と；前記バスに結合されたプロセッサと；前記バスに結合されたメモリユニットとを有する対話装置であって、前記メモリが、実行されたときに前記プロセッサをして、ユーザーにある機能と対話するよう音声で指示するための方法を実施せしめる命令を記憶しており、前記方法が：ある機能をユーザー書き込みの選択可能項目と関連付け；前記ユーザー書き込みの選択可能項目を前記筆記可能面上で認識し；前記ユーザー書き込みの選択可能項目の前記認識に反応して、前記ユーザーからのさらなる対話を必要とすることなく前記機能の動作に関係する第一の指示メッセージを音声で表現することを含み、ここで前記第一の指示メッセージは、前記ユーザーに、該ユーザーが前記機能とインターフェースをもちうるようにする少なくとも一つのユーザーインターフェース要素を描くよう指示するものであり、前記方法がさらに：前記ユーザーインターフェース要素が前記面上に適正に描かれたかどうかを判定し；前記ユーザーインターフェース要素が前記面上に適正に描かれていなかった場合に、前記ユーザーが前記ユーザーインターフェース要素を適正に描く仕方についてのヒントを有する第二の指示メッセージを音声で表現し、前記ユーザーインターフェース要素が適正に描かれていた場合に、前記機能を実行することをさらに含むことを特徴とする、対話装置。
【請求項３３】
請求項３２記載の対話装置であって、前記方法がさらに：前記第一の指示メッセージの前記音声による表現から所定の時間期間内に前記面上に書き込みが描かれたかどうかを判定し；前記所定の時間期間内に前記面上にいかなる書き込みも描かれていなかった場合に、前記第一の指示メッセージを繰り返すことをさらに含むことを特徴とする対話装置。
【請求項３４】
前記方法が、前記ユーザーインターフェース要素が適正に描かれていた場合に、第三の指示メッセージを音声で表現することをさらに含むことを特徴とする、請求項３２記載の対話装置。
【請求項３５】
請求項３２記載の対話装置であって、前記方法が、前記ユーザー書き込みの選択可能項目とのユーザーの対話に反応して、前記第一の指示メッセージを反復することをさらに含むことを特徴とする、請求項３２記載の対話装置。
【請求項３６】
請求項３２記載の対話装置であって、前記方法が、前記第一の指示メッセージを音声で表現するのに先立って前記機能を実行することをさらに含むことを特徴とする、請求項３２記載の対話装置。
【請求項３７】
前記ユーザー書き込みの選択可能項目の前記認識が、前記ユーザー書き込みの選択可能項目が完成していることを示す終了イベントを検出することに反応して実行されることを特徴とする、請求項３２記載の対話装置。
【請求項３８】
請求項３２記載の対話装置であって、前記ユーザー書き込みの選択可能項目の前記認識が：前記光学式検出器を使って前記筆記可能面上での当該対話装置の先端の位置を光学的に記録し；該位置の画像認識を実行して前記のユーザー書き込みの選択可能項目を認識することを含んでいることを特徴とする対話装置。
【請求項３９】
前記第一の指示メッセージの前記音声による表現が、前記音声出力装置によって実行されることを特徴とする、請求項３２記載の対話装置。
【請求項４０】
バスと；前記バスに結合された音声出力装置と；ユーザーが筆記可能面上にユーザー書き込みの選択可能要素を生成できるようにするための筆記要素と；前記筆記可能面上の情報を検出するための、前記バスに結合された光学式検出器と；前記バスに結合されたプロセッサと；前記バスに結合されたメモリユニットとを有する対話装置であって、前記メモリが、実行されたときに前記プロセッサをして、ある機能を自動的に実行するための方法を実施せしめる命令を記憶しており、前記方法が：ある機能をユーザー書き込みの選択可能項目と関連付け；前記ユーザー書き込みの選択可能項目をある面上で認識し；前記ユーザー書き込みの選択可能項目の前記認識に反応して、ユーザーと前記面との間のさらなる対話をまず必要とすることなく前記機能をすぐに実行することを含むことを特徴とする、対話装置。
【請求項４１】
請求項４０記載の対話装置であって、前記方法が、前記機能の動作に関係した指示メッセージを、ユーザーと前記面との間のさらなる対話をまず必要とすることなく音声で表現することをさらに含む対話装置。
【請求項４２】
請求項４１記載の対話装置であって、前記指示メッセージの前記音声による表現が、ユーザーが前記面と対話しないまま所定の時間期間が経過するのに反応して実行されることを特徴とする、対話装置。
【請求項４３】
前記方法が、ユーザーが前記のユーザー書き込みの選択可能項目と対話するのに反応して、前記機能を実行することをさらに含むことを特徴とする、請求項４０記載の対話装置。
【請求項４４】
前記ユーザー書き込みの選択可能項目の前記認識が、前記のユーザー書き込みの選択可能項目が完成していることを示す終了イベントを検出することに反応して実行されることを特徴とする、請求項４０記載の対話装置。
【請求項４５】
前記したユーザーと前記面との間のさらなる対話をまず必要とすることなく前記機能をすぐに実行することが、前記ユーザーによる前記面上の補助的な書き込みをまず必要とすることなく前記機能をすぐに実行することであることを特徴とする、請求項４０記載の対話装置。
【手続補正２】
【補正対象書類名】明細書
【補正対象項目名】００１０
【補正方法】変更
【補正の内容】
【００１０】
従来技術の解決策の一つは、光ペンを使ってユーザー定義のコマンドを認識することを利用し、そのコマンドを利用してペンの何らかの機能を呼び出すことである（たとえばPCT公開WO/01/48590A1）。たとえば、ユーザーの書き込みが認識され（たとえばリアルタイムに）、当該光ペンに対するコマンドとして解釈されることができる。この解決策の欠点としては、対話およびペンの機能の制御のためにユーザーの手書きをリアルタイムで（たとえば、ユーザーがコマンドを紙に書き付けるときに）認識することが必要になるという事実に関わる。この解決策は、光ペンのより複雑な機能との対話のためには、ユーザーはペンによって提供される異なる選択、オプションまたは機能にアクセスするための一つまたは複数のコマンドを繰り返し書き付けなければならないという事実のため、満足いくものではない。この解決策は過度に単純な、単一ステップ型の用途（たとえば「スイッチオフ」「保存」など）には満足いくものであるかもしれないものの、より複雑な、申し分のない、豊かな機能が望まれる場面ではあまりにわずらわしく、制限的である。
【特許文献１】欧州特許第１２５６０９１号明細書
【特許文献２】米国特許第４，４６４，１１８号明細書
【特許文献３】米国特許出願第２００４／００４７５０５号明細書
【特許文献４】欧州特許第５９７３７９Ｂ１号明細書
【特許文献５】中国特許第１１４２４７１Ｃ号明細書
【特許文献６】韓国公開第２００１−７１２１７号明細書
【特許文献７】米国特許第５，７３０，６０２Ａ号明細書
【特許文献８】米国特許出願第２００３／１６２１６２号明細書
【特許文献９】米国特許第６，５０２，７５６Ｂ１号明細書
【特許文献１０】米国特許第６，９６６，４９５Ｂ２号明細書
【特許文献１１】国際公開第ＷＯ０１／９５５５９Ａ１号パンフレット
【特許文献１２】国際公開第ＷＯ０１／７１４７３Ａ１号パンフレット
【特許文献１３】国際公開第ＷＯ０１／７５７２３Ａ１号パンフレット
【特許文献１４】国際公開第ＷＯ０１／２６０３２Ａ１号パンフレット
【特許文献１５】国際公開第ＷＯ０１／７５７８０Ａ１号パンフレット
【特許文献１６】国際公開第ＷＯ０１／０１６７０Ａ１号パンフレット
【特許文献１７】国際公開第ＷＯ０１／７５７７３Ａ１号パンフレット
【特許文献１８】国際公開第ＷＯ０１／７１４７５Ａ１号パンフレット
【特許文献１９】国際公開第ＷＯ００／７３９８３Ａ１号パンフレット
【特許文献２０】国際公開第ＷＯ０１／１６６９１Ａ１号パンフレット
【特許文献２１】米国特許出願第２００３／００１４６１５Ａ１号明細書